(57)【要約】【課題】本発明は、映像表示装置及び映像表示方法に関し、例えばトンネルの内側壁面に複数の端末表示手段を配置し、これら複数の端末表示手段によるコマ送りの映像を車両の搭乗者に提供する場合に適用して、各端末表示手段と画像供給手段との接続を簡略化することができるようにする。【解決手段】本発明は、画像供給手段１２より供給された静止画像の画像データを各端末表示手段１１Ａ〜１１Ｎに保持して表示する。【選択図】        図１
2008171009.tif 000002
【特許請求の範囲】
【請求項１】
鉄道の車両の経路に沿って所定間隔で静止画像を点滅表示することにより、前記車両の搭乗者に対して前記静止画像によるコマ送りの映像を提供する映像表示装置であって、
前記車両の経路に沿って所定間隔で配置され、それぞれ対応する前記静止画像を点滅表示する複数の端末表示手段と、
前記複数の端末表示手段にそれぞれ対応する前記静止画像の画像データを供給する画像供給手段と、
前記車両の進入側端の前記端末表示手段より前記車両の進入側に設けられ、前記車両の速度を検出する進入側速度検出手段と、
前記車両の退出側端の前記端末表示手段より前記車両の退出側であって、前記進入側速度検出手段までの距離が前記車両の長さより短い箇所に設けられ、前記車両の速度を検出する退出側速度検出手段と、
前記進入側速度検出手段で検出される前記車両の速度と、前記退出側速度検出手段で検出される前記車両の速度とに基づいて、前記複数の端末表示手段の点滅表示の周期を制御する制御手段とを備え、
前記端末表示手段は、
それぞれ前記画像供給手段より供給された前記静止画像の画像データを保持する記憶手段を有する
ことを特徴とする映像表示装置。
【請求項２】
前記画像供給手段は、
前記静止画像の画像データを所定の記憶手段に一時保持して対応する前記端末表示手段に供給する
ことを特徴とする請求項１に記載の映像表示装置。
【請求項３】
前記画像供給手段の記憶手段は、
フレームメモリである
ことを特徴とする請求項２に記載の映像表示装置。
【請求項４】
前記画像供給手段の記憶手段は、
ハードディスク装置である
ことを特徴とする請求項２に記載の映像表示装置。
【請求項５】
前記画像供給手段は、
所定の画像データ提供手段より供給される画像データを前記端末表示手段に供給する
ことを特徴とする請求項１に記載の映像表示装置。
【請求項６】
前記進入側速度検出手段及び前記退出側速度検出手段は、
前記車両の経路に近接して配置されて、前記車両をそれぞれ撮影する複数の撮像手段を有し、
前記複数の撮像手段から得られる撮像結果の比較により、前記車両の速度を検出する
ことを特徴とする請求項１に記載の映像表示装置。
【請求項７】
鉄道の車両の経路に沿って所定間隔で静止画像を点滅表示することにより、前記車両の搭乗者に対して前記静止画像によるコマ送りの映像を提供する映像表示方法であって、
前期車両の経路に沿って所定間隔で配置された複数の端末表示手段で、それぞれ対応する前記静止画像を点滅表示する点滅表示ステップと、
所定の画像供給手段よりそれぞれ対応する前記静止画像の画像データを供給し、それぞれ前記画像供給手段より供給された前記静止画像の画像データを前記端末表示手段に保持する画像データ供給ステップと、
前記車両の進入側端の前記端末表示手段より前記車両の進入側に設けられた進入側速度検出手段と、前記車両の退出側端の前記端末表示手段より前記車両の退出側であって、前記進入側速度検出手段までの距離が前記車両の長さより短い箇所に設けられた退出側速度検出手段とで、前記車両の速度を検出する速度検出ステップと、
前記速度検出ステップで検出した前記車両の速度に基づいて、前記複数の端末表示手段の点滅表示の周期を制御手段で制御する制御ステップとを有する
ことを特徴とする映像表示方法。
【請求項８】
前記画像データ供給ステップは、
前記静止画像の画像データを前記画像供給手段に設けられた記憶手段に一時保持して対応する前記端末表示手段に供給する
ことを特徴とする請求項７に記載の映像表示方法。
【請求項９】
前記画像供給手段の記憶手段が、
フレームメモリである
ことを特徴とする請求項８に記載の映像表示方法。
【請求項１０】
前記画像供給手段の記憶手段が、
ハードディスク装置である
ことを特徴とする請求項８に記載の映像表示方法。
【請求項１１】
前記画像データ供給ステップは、
所定の画像データ提供手段より前記画像供給手段に供給される画像データを、前記画像供給手段により前記端末表示手段に供給する
ことを特徴とする請求項７に記載の映像表示方法。
【発明の詳細な説明】
【技術分野】
【０００１】
本発明は、映像表示装置及び映像表示方法に関し、例えばトンネルの内側壁面に複数の端末表示手段を配置し、これら複数の端末表示手段によりコマ送りの映像を車両の搭乗者に提供する場合に適用することができる。本発明は、画像供給手段より供給された静止画像の画像データを各端末表示手段に保持して表示することにより、各端末表示手段と画像供給手段との接続を簡略化する。
【背景技術】
【０００２】
従来、画像表示システムとして、トンネル内を通過する車両の搭乗者に対して、車外よりコマ送りの映像を提供するようになされた映像表示装置が提案されている（特開平５−２７１９７号、特開平５−４０４４８号、特開平５−２２４６１７号等）。
【０００３】
このような映像表示装置は、例えばトンネル内の壁面に所定間隔で端末の画像表示手段を配置し、各画像表示手段で動画を構成する各コマの静止画像を点滅表示し、これにより移動する車両内の搭乗者（乗客のみならず乗員をも含む意である）に、コマ送りの映像を試聴することができるようになされている。
【０００４】
ところでこの種の映像表示装置に適用される端末の画像表示手段を液晶表示パネルとストロボとで構成すれば、この液晶表示パネルで表示する静止画像を更新して、搭乗者に提供する映像を簡易に変更することができる。
【０００５】
この場合、一般のパーソナルコンピュータに適用されるように、各液晶表示パネルにビデオラムを割り当て、このビデオラムに記録された画像データにより各液晶表示パネルを駆動すると共に、必要に応じてこのビデオラムの内容を更新することにより、搭乗者に提供する映像を簡易に変更できると考えられる。
【０００６】
すなわち図４に示すように、映像表示装置１において、端末装置２Ａ〜２Ｎを所定の間隔により移動体の経路に沿って配置し、各端末装置２Ａ〜２Ｎにホスト装置３より静止画像の画像データを供給する。ここで映像表示装置１は、ホスト装置３に、それぞれ各端末装置２Ａ〜２Ｎ毎のビデオラムであるフレームメモリ４Ａ〜４Ｎを配置し、例えば上位のサーバーより伝送される画像データを対応するフレームメモリ４Ａ〜４Ｎに展開することにより、必要に応じてこれらフレームメモリ４Ａ〜４Ｎの内容を更新してこの映像表示装置１により提供する映像を変更する。
【０００７】
また映像表示装置１は、それぞれ静止画像を表示する液晶表示パネル（ＬＣＤ：Liquid Crystal Display）５と、各液晶表示パネル５に間欠的に照明光を提供するストロボと、各液晶表示パネル５を駆動する表示回路６とを各端末装置２Ａ〜２Ｎにそれぞれ配置すると共に、フレームメモリ４Ａ〜４Ｎに保持した画像データを各表示回路６の駆動に対応して順次読み出して出力する出力回路７Ａ〜７Ｎをホスト装置３側に配置する。
【０００８】
これにより映像表示装置１においては、各フレームメモリ４Ａ〜４Ｎに保持した画像データによる静止画像を各端末装置２Ａ〜２Ｎで点滅表示する。
【０００９】
ところがこのように映像表示装置１を構成すると、端末表示手段である端末装置と画像供給手段であるホスト装置との接続が煩雑になる問題がある。実際上、例えばこれらの端末装置２Ａ〜２Ｎを地下鉄のトンネル内に９０台配置する場合にあっては、例えば最寄り駅に配置したホスト装置３との間を９０本のケーブルにより接続しなければならなくなる。
【特許文献１】特開平７−１０４６９３号公報
【特許文献２】特開平５−１３７１３７号公報
【特許文献３】特開平１０−１８７１０７号公報
【発明の開示】
【発明が解決しようとする課題】
【００１０】
本発明は以上の点を考慮してなされたもので、各端末表示手段と画像供給手段との接続を簡略化することができる映像表示装置及び映像表示方法を提案しようとするものである。
【課題を解決するための手段】
【００１１】
かかる課題を解決するため請求項１の発明は、鉄道の車両の経路に沿って所定間隔で静止画像を点滅表示することにより、前記車両の搭乗者に対して前記静止画像によるコマ送りの映像を提供する映像表示装置に適用して、前記車両の経路に沿って所定間隔で配置され、それぞれ対応する前記静止画像を点滅表示する複数の端末表示手段と、前記複数の端末表示手段にそれぞれ対応する前記静止画像の画像データを供給する画像供給手段と、前記車両の進入側端の前記端末表示手段より前記車両の進入側に設けられ、前記車両の速度を検出する進入側速度検出手段と、前記車両の退出側端の前記端末表示手段より前記車両の退出側であって、前記進入側速度検出手段までの距離が前記車両の長さより短い箇所に設けられ、前記車両の速度を検出する退出側速度検出手段と、前記進入側速度検出手段で検出される前記車両の速度と、前記退出側速度検出手段で検出される前記車両の速度とに基づいて、前記複数の端末表示手段の点滅表示の周期を制御する制御手段とを備え、前記端末表示手段は、それぞれ前記画像供給手段より供給された前記静止画像の画像データを保持する記憶手段を有するようにする。
【００１２】
また請求項７の発明は、鉄道の車両の経路に沿って所定間隔で静止画像を点滅表示することにより、前記車両の搭乗者に対して前記静止画像によるコマ送りの映像を提供する映像表示方法に適用して、前期車両の経路に沿って所定間隔で配置された複数の端末表示手段で、それぞれ対応する前記静止画像を点滅表示する点滅表示ステップと、所定の画像供給手段よりそれぞれ対応する前記静止画像の画像データを供給し、それぞれ前記画像供給手段より供給された前記静止画像の画像データを前記端末表示手段に保持する画像データ供給ステップと、前記車両の進入側端の前記端末表示手段より前記車両の進入側に設けられた進入側速度検出手段と、前記車両の退出側端の前記端末表示手段より前記車両の退出側であって、前記進入側速度検出手段までの距離が前記車両の長さより短い箇所に設けられた退出側速度検出手段とで、前記車両の速度を検出する速度検出ステップと、前記速度検出ステップで検出した前記車両の速度に基づいて、前記複数の端末表示手段の点滅表示の周期を制御手段で制御する制御ステップとを有するようにする。
【００１３】
請求項１又は請求項７の構成によれば、端末表示手段は、保持した画像データにより静止画像を点滅表示することができる。これにより画像供給手段は、簡易なネットワークを介して各端末表示手段に画像データを供給して、各端末表示手段でそれぞれ対応する静止画像を点滅表示することができる。従って、各端末表示手段と画像供給手段との接続を簡略化することができる。
【発明の効果】
【００１４】
本発明によれば、静止画像の点滅表示により移動体の搭乗者に映像を提供する映像表示装置及び映像表示方法において、画像供給手段より供給された静止画像の画像データを各端末表示手段に保持して表示することにより、各端末表示手段と画像供給手段との接続を簡略化することができる。
【発明を実施するための最良の形態】
【００１５】
以下、適宜図面を参照しながら本発明の実施例を詳述する。
【実施例１】
【００１６】
（１）実施の形態の全体構成
図２は、本発明の実施の形態に係る映像表示装置であるトンネル内システムを示す略線図である。このトンネル内システム１０は、車両の経路に沿って所定間隔で静止画像を点滅表示することにより、車両の搭乗者に対して静止画像によるコマ送りの映像を提供する。ここでトンネル内システム１０は、上位のサーバーよりＭＰＥＧ（Moving Picture Experts Group）のフォーマットによりデータ圧縮された動画のファイルＦの供給を受け、この動画による映像を表示する。
【００１７】
このためトンネル内システム１０は、トンネル内の内側壁面に沿って、それぞれ静止画像を点滅表示する端末装置１１Ａ〜１１Ｎが、所定の間隔で配置される。なおこの実施の形態では、トンネル内システム１０は、９０台の端末装置１１Ａ〜１１Ｎにより形成される静止画像により約３秒間の動画を提供するようになされている。
【００１８】
さらにトンネル内システム１０は、車両が接近する側（以下進入側と呼ぶ）の末端に配置された端末装置１１Ａより所定距離だけ車両の進入側に、進入側速度検出部１４が配置され、これとは逆に車両が遠ざかる側（以下退出側と呼ぶ）の末端に配置された端末装置１１Ｎより所定距離だけ退出側に、退出側速度検出部１５が配置される。
【００１９】
ここで進入側速度検出部１４と退出側速度検出部１５は、車両が通過する際に、最後尾の車両が進入側速度検出部１４の前を通過する前に、先頭車両が退出側速度検出部１５の前を通過するように、進入側速度検出部１４と退出側速度検出部１５との距離がこのトンネルを通過する車両の長さに比して短くなるように配置されるようになされている。これによりこのトンネル内システム１０においては、進入側速度検出部１４と退出側速度検出部１５により通過する車両の速度を検出する際に、車両の速度を継続して検出できるようになされている。
【００２０】
退出側速度検出部１５は、線路に近接して２台のテレビジョンカメラによる退出速度検出センサーが配置される。退出側速度検出部１５は、この２台のテレビジョンカメラより得られる撮像結果を所定の信号処理回路で比較処理することにより、例えば車両の窓を基準にして車両の通過を検出し、さらには車両の通過速度を検出する。退出側速度検出部１５は、この検出結果を速度検出データＤＳＩとして進入側速度検出部１４に出力する。
【００２１】
進入側速度検出部１４は、同様に、線路に近接して２台のテレビジョンカメラによる進入速度検出センサーが配置され、この２台のテレビジョンカメラより得られる撮像結果を所定の信号処理回路で比較処理することにより、車両の通過を検出し、さらには車両の通過速度を検出する。
【００２２】
さらに進入側速度検出部１４は、この進入側の通過速度と、速度検出データＤＳＩより得られる退出側の通過速度より、車両が端末装置１１Ａ〜１１Ｎの前を通過している期間の間、この車両の通過速度に対応した周期により間欠的に信号レベルが立ち上がる発光パルスＰＬを端末装置１１Ａ〜１１Ｎに出力する。
【００２３】
端末装置１１Ａ〜１１Ｎは、ホスト装置１２より供給された静止画像を表示する画像表示装置１７と、この画像表示装置１７を照明して画像表示装置１７の画像を目視できるようにする点滅照明装置１８とにより構成される。端末装置１１Ａ〜１１Ｎは、このように点滅照明装置１８により照明されて目視可能となる画像表示装置１７の静止画像が車両の搭乗者より容易に視聴できるように、ほぼ車両の窓の高さに画像表示装置１７、点滅照明装置１８が配置されるようになされている。
【００２４】
このうち画像表示装置１７は、一定の解像度による透過型液晶表示パネルと、この液晶表示パネルを駆動する表示回路、画像データＤ１を入力するインターフェース等により構成される。画像表示装置１７は、液晶表示パネルの解像度に対応したビットマップ形式の画像データＤ１により、各端末装置１１Ａ〜１１Ｎにそれぞれ割り当てられた静止画像をホスト装置１２より入力する。
【００２５】
点滅照明装置１８は、画像表示装置１７における液晶表示パネルの背面に配置されたバックライト装置であり、液晶表示パネルに照明光を供給する。この照明光の供給において、点滅照明装置１８は、発光パルスＰＬに同期して動作することにより、車両の通過速度に対応した周期により液晶表示パネルに間欠的に照明光を供給し、液晶表示パネルによる静止画像を点滅表示する。
【００２６】
これによりトンネル内システム１０においては、端末装置１１Ａ〜１１Ｎの前を通過する車両の乗客に対して、各端末装置１１Ａ〜１１Ｎの静止画像によるコマ送りの映像を窓越しに提供するようになされている。さらにこのとき車両の速度に応じた周期によりこれら静止画像を点滅表示することにより、これら静止画像による映像が車両の搭乗者より静止して観察されるようになされている。
【００２７】
ホスト装置１２は、これら端末装置１１Ａ〜１１Ｎの最寄り駅構内に配置され、図示しない上位のサーバーより動画のファイルＦ、スケジュールを入力し、この動画のファイルＦ、スケジュールを保持する。さらにホスト装置１２は、この保持したスケジュールに応じて動画のファイルＦを処理し、動画を構成する各コマの画像データを対応する端末装置１１Ａ〜１１Ｎに順次伝送する。これによりホスト装置１２は、各端末装置１１Ａ〜１１Ｎにおいて表示する静止画像の画像データＤ１を各端末装置１１Ａ〜１１Ｎに供給する。
【００２８】
このときホスト装置１２は、静止画像の画像データを端末装置１１Ａ〜１１Ｎの解像度に対応するビットマップ形式により出力する。これによりホスト装置１２は、共通のフォーマットにより伝送された動画のデータより各トンネル内システムの解像度に対応する静止画像の画像データＤ１を生成し、この静止画像の画像データＤ１を伝送するようになされている。
【００２９】
すなわちホスト装置１２は、内蔵のネットワークインターフェースを介して、サーバーより伝送される動画のファイルＦ、スケジュールをハードディスク装置に一時保持する。さらにホスト装置１２は、スケジュール管理に従って、このハードディスク装置より所定のファイルを読み出し、このファイルをデータ伸長する。ホスト装置１２は、データ伸長して得られる画像データを補間演算処理、間引き処理することにより、トンネル内システムの解像度に変換し、さらにマトリックス演算処理することにより、液晶表示パネルの駆動に対応する赤色、青色、緑色による画像データに変換する。ホスト装置１２は、この画像データを液晶表示パネルの画素配列に対応する順序によりフレーム単位で出力することにより、液晶表示パネルの解像度に対応したビットマップ形式による静止画像の画像データＤ１を出力する。
（２）画像データの伝送
図１は、このトンネル内システム１０におけるホスト装置１２の出力系と各端末装置１１Ａ〜１１Ｎの画像表示装置１７との関係を示すブロック図である。このトンネル内システム１０において、ホスト装置１２と各端末装置１１Ａ〜１１Ｎの画像表示装置１７は一本のバスＢＵＳに接続され、このバスＢＵＳを介して画像データＤ１を入出力するようになされている。ここでこのバスＢＵＳはシリアルバスにより構成される。
【００３０】
すなわちホスト装置１２において、フレームメモリ２０Ａ〜２０Ｎは、画像データＤ１をバスＢＵＳに出力する際に、この画像データＤ１を一時保持するバッファメモリである。ここでフレームメモリ２０Ａ〜２０Ｎは、端末装置１１Ａ〜１１Ｎと同じ数だけ配置され、各端末装置１１Ａ〜１１Ｎに対応する静止画像の画像データをそれぞれ保持する。
【００３１】
データダウンロード制御回路２１は、各フレームメモリ２０Ａ〜２０Ｎに保持された静止画像の画像データを順次読み出して、それぞれ対応する端末装置１１Ａ〜１１Ｎに出力する。すなわちデータダウンロード制御回路２１は、各フレームメモリ２０Ａ〜２０Ｎに保持される静止画像の画像データをバスＢＵＳの伝送速度に対応するタイミングで読み出してバスＢＵＳに出力する。このときデータダウンロード制御回路２１は、送出先である対応する端末装置１１Ａ〜１１Ｎの機器ＩＤを付加してバスＢＵＳに出力し、これによりこの静止画像の画像データを対応する端末装置１１Ａ〜１１Ｎに出力する。
【００３２】
これに対して各端末装置１１Ａ〜１１Ｎの画像表示装置１７において、バスＢＵＳに接続されるインターフェース（Ｉ／Ｆ）２２は、バスＢＵＳに出力される機器ＩＤを基準にして、自己の機器宛に送出された静止画像の画像データを選択的に入力する。
【００３３】
フレームメモリ２３は、画像表示装置１７のビデオラムであり、インターフェース２２より出力される静止画像の画像データにより保持した内容を更新する。さらにフレームメモリ２３は、表示回路２４の制御により液晶表示パネル２５の表示に対応した順序で保持した画像データを出力する。
【００３４】
表示回路２４は、このようにしてフレームメモリ２３に保持された静止画像の画像データを液晶表示パネル２５の画素配列に対応する順序により読み出し、この画像データにより液晶表示パネル２５を駆動する。
（３）実施の形態の動作
以上の構成において、トンネル内システム１０においては（図２）、図３に示すように、車両Ｔが接近して先頭車両が進入側速度検出部１４の前を通過すると（図３（Ｂ））、ここで車両Ｔの通過が検出され、通過速度の検出が開始される。さらに車両Ｔが順次走行により移動して退出側速度検出部１５の前を先頭車両が通過すると（図３（Ｄ））、退出側速度検出部１５でこの車両Ｔの通過、通過速度が検出される。
【００３５】
さらに車両Ｔが走行して最後尾の車両が進入側速度検出部１４の前を通過すると（図３（Ｆ））、この進入側速度検出部１４により車両Ｔの通過が検出され、さらに通過速度の検出が終了する。その後この最後尾の車両が退出側速度検出部１５の前を通過すると（図３（Ｈ））、この退出側速度検出部１５においても車両Ｔの通過が検出され、また通過速度の検出が終了する。
【００３６】
トンネル内システム１０においては、このようにして先頭車両の通過が進入側速度検出部１４で検出されると、最後尾の車両が退出側速度検出部１５を通過するまでの間、通過速度に応じて信号レベルが立ち上がる発光パルスＰＬが出力され、この発光パルスＰＬに同期して点滅照明装置１８が液晶表示パネル２５による画像表示装置１７に照明光を間欠的に供給することにより、車両Ｔの移動速度に応じてトンネル内に所定間隔で配置された端末装置１１Ａ〜１１Ｎにより静止画像が点滅表示される。
【００３７】
トンネル内システム１０においては、これにより各端末装置１１Ａ〜１１Ｎの静止画像によるコマ送りの映像が車両Ｔの搭乗者に提供される。
【００３８】
このようなトンネル内システム１０で表示される映像は、上位のサーバーより動画のファイルＦによりスケジュールと共にホスト装置１２に供給され、ハードディスク装置に保持される。このときこのファイルＦは、ＭＰＥＧのフォーマットによりデータ圧縮されて供給されることにより、この映像に要するデータ量を低減してハードディスク装置に保持することができる。
【００３９】
ホスト装置１２においては、このようにしてファイルＦと共に伝送されたスケジュールの管理に従って、所定の時間になると、所定のファイルがハードディスク装置より読み出され、データ伸長される。さらにこのデータ伸長して得られる画像データが、補間演算処理、間引き処理されて各端末装置１１Ａ〜１１Ｎの画像表示装置１７における液晶表示パネル２５の解像度に変換され、さらに液晶表示パネル２５の駆動に適した配列であり、かつ色信号による画像データＤ１に変換される。
【００４０】
この画像データＤ１おいては、各端末装置１１Ａ〜１１Ｎに対応する静止画像の画像データがバッファメモリであるフレームメモリ２０Ａ〜２０Ｎにそれぞれ一時保持される。さらにデータダウンロード制御回路２１により所定のタイミングで読み出され、送出先である端末装置の機器ＩＤが付加されてバスＢＵＳに出力される。
【００４１】
各端末装置１１Ａ〜１１Ｎの画像表示装置１７においては、このようにしてバスＢＵＳに出力された静止画像の画像データが、この機器ＩＤを基準にして送出先である対応する端末装置における画像表示装置１７のインタフェース２２より各端末装置に入力される。
【００４２】
このインターフェース２２より入力される静止画像の画像データは、これまでフレームメモリ２３に保持されていた静止画像の画像データに代えてフレームメモリ２３に格納される。これにより適宜更新されるフレームメモリ２３内の画像データが、液晶表示パネル２５の表示の必要に応じて順次循環的に読み出されて画像表示装置１７の表示に供される。これにより一の伝送路であるバスＢＵＳを介して画像データを対応する端末装置に順次時分割により送出して点滅表示する映像を更新することが可能となる。
【００４３】
これによりトンネル内システム１０においては、ホスト装置１２と各端末装置１１Ａ〜１１Ｎとを一本のバスＢＵＳに接続する簡易なネットワークにより画像データを供給するようにしても各端末装置１１Ａ〜１１Ｎで対応する静止画像を表示することが可能となる。これにより各端末装置１１Ａ〜１１Ｎとホスト装置１２との接続を簡略化することが可能となる。
（４）実施の形態の効果
以上の構成によれば、静止画像を点滅表示して移動体の搭乗者にコマ送りの映像を提供するトンネル内システムである映像表示装置において、画像供給手段であるホスト装置より供給された静止画像の画像データを端末表示手段である端末装置でそれぞれ保持して表示することにより、各端末表示手段と画像供給手段との接続を簡略化することができる。
【実施例２】
【００４４】
（５）他の実施の形態
なお上述の実施の形態においては、ホスト装置１２の記憶手段としてフレームメモリ２０Ａ〜２０Ｎを用いて、このフレームメモリ２０Ａ〜２０Ｎに画像データＤ１を一時保持して対応する端末装置に出力する場合について述べたが、本発明はこれに限らず、記憶手段としてハードディスク装置を用いて、この画像データＤ１を一時保持して出力するようにしてもよい。
【００４５】
また上述の実施の形態においては、ホスト装置１２の記憶手段に画像データを一時保持して対応する端末装置に出力する場合について述べたが、本発明はこれに限らず、上位のサーバーより伝送されたファイルを逐次処理しながら、その結果得られる各静止画像の画像データを対応する端末装置に順次送出するようにしてもよい。
【００４６】
また上述の実施の形態においては、サーバーより伝送される動画のファイルＦをハードディスク装置に一時保持する場合について述べたが、本発明はこれに限らず、この一時保持する処理を省略して各端末装置１１Ａ〜１１Ｎに直接供給するようにしてもよい。
【００４７】
また上述の実施の形態においては、９０台の端末装置に対して、一本のシリアルバスによりホスト装置１２から各端末装置１１Ａ〜１１Ｎに画像データを供給する場合について述べたが、本発明はこれに限らず、例えば１６台の端末装置毎に一本のシリアルバスを割り当てて各端末装置１１Ａ〜１１Ｎに画像データを供給する場合等、必要に応じて種々の接続形態を広く適用することができる。
【００４８】
また上述の実施の形態においては、フレームメモリ２３をビデオラムとして使用する場合について述べたが、本発明はこれに限らず、ビデオラムを別途設けると共に、別途伝送された画像データを一時保持する記憶手段を設けるようにしてもよい。
【００４９】
また上述の実施の形態においては、ホスト装置１２から静止画像の画像データをビットマップデータにより出力する場合について述べたが、本発明はこれに限らず、例えばＪＰＥＧ（Joint Photographic Coding Experts Group ）等の種々の圧縮方式によりビットマップデータをデータ圧縮して出力するようにしてもよい。このようにすれば、ホスト装置から対応する端末装置に画像データを出力する時間を短縮することができる。
【００５０】
また上述の実施の形態においては、ＭＰＥＧによりデータ圧縮した動画をホスト装置１２に入力する場合について述べたが、本発明はこれに限らず、種々の手法によりデータ圧縮した動画をホスト装置に入力する場合、さらには例えばＪＰＥＧによりデータ圧縮した静止画像の画像データをホスト装置に入力する場合、さらには色信号の形式による画像データをホスト装置に入力する場合等に広く適用することができる。
【００５１】
また上述の実施の形態においては、透過型液晶表示パネルを車両の窓の高さに配置して静止画像を点滅表示する場合について述べたが、本発明はこれに限らず、例えば液晶表示パネルによる静止画像をトンネル内の壁面等に投影して静止画像を点滅表示する場合、さらにはダイオードアレイにより静止画像を点滅表示する場合等、種々の表示手法を広く適用することができる。
【００５２】
また上述の実施の形態においては、車両の長さに比して進入側端及び退出側端の端末装置間の距離が短くなるようにトンネル内システムを構成する場合について述べたが、本発明はこれに限らず、これとは逆に進入側端及び退出側端の端末装置間の距離が車両の長さより長くなるようにしてもよい。
【００５３】
さらに上述の実施の形態においては、搭乗者より見て静止画像による映像が停止して見えるように、車両の速度に応じて静止画像を点滅表示する場合について述べたが、本発明はこれに限らず、例えば搭乗者より見て静止画像による映像がゆっくりと移動するように表示する場合等にも広く適用することができる。
【００５４】
また上述の実施の形態においては、静止画像の点滅表示により動画の映像を表示する場合について述べたが、本発明はこれに限らず、同一の静止画像を点滅表示することにより乗客、運転手が容易に認識可能に、標識、広告等の静止画像の映像を表示してもよい。
【００５５】
さらに上述の実施の形態においては、トンネル内にて静止画像の点滅表示によりコマ送りの映像を車両の搭乗者に提供する場合について述べたが、本発明はこれに限らず、自動車のトンネル内にて自動車の乗客にコマ送りの映像を提供する場合、さらには夜間の道路脇、線路脇にてコマ送りの映像を提供する場合、遊園地等においてコマ送りの映像を提供する場合等、種々の移動体の搭乗者に対してコマ送りによる映像を提供する場合に広く適用することができる。
【産業上の利用可能性】
【００５６】
本発明は、例えばトンネルの内側壁面に複数の端末表示手段を配置し、これら複数の端末表示手段によりコマ送りの映像を車両の搭乗者に提供する場合に適用することができる。
【図面の簡単な説明】
【００５７】
【図１】本発明の実施の形態に係るトンネル内システムの画像データの伝送系を示すブロック図である。
【図２】図１のトンネル内システムの全体構成を示すブロック図である。
【図３】図２のトンネル内システムの動作の説明に供する略線図である。
【図４】ホスト装置に各端末装置のビデオラムを割り当てて映像表示装置を構成した場合の画像データの伝送系を示すブロック図である。
【符号の説明】
【００５８】
１……映像表示装置、２Ａ〜２Ｎ、１１Ａ〜１１Ｎ……端末装置、３、１２……ホスト装置、４Ａ〜４Ｎ、２０Ａ〜２０Ｎ、２３……フレームメモリ、５、２５……液晶表示パネル、６、２４……表示回路、１０……トンネル内システム、１７……画像表示装置、２１……データダウンロード制御回路、２２……インターフェース
【図１】
2008171009.tif 000003
【図２】
2008171009.tif 000004
【図３】
2008171009.tif 000005
【図４】
2008171009.tif 000006